(57)【要約】【課題】掃除が簡単にでき、かつ美観にすぐれたキッチンカウンタを提供する。【解決手段】シンク３のフランジ部３１は、床面に対し略垂直に延びる折返し片３２を周設した形状とされ、カウンタ２とシンク３との接合部５は、開口部２１の内周縁２３に折返し片３２を対向させて、それらの表面側を、隙間を介して面一に整合させた状態に保持し、その状態で、それらの裏面側より硬質接着剤を注入して、隙間に目地６を形成して固着させて、カウンタ２とシンク３の表面側を目地６を挟んで略面一に形成させている。【選択図】図１
2008154821.tif 000002
【特許請求の範囲】
【請求項１】
カウンタに形成した開口部に、接合部を介してシンクのフランジ部を接合固着させてなるキッチンカウンタであって、
上記フランジ部は、床面に対し略垂直に延びる折返し片を周設した形状とされ、
上記接合部は、上記開口部の内周縁に上記折返し片を対向させて、上記カウンタと上記シンクとの表面側を、隙間を介して面一に整合させた状態に保持し、その状態で、それらの裏面側より硬質接着剤を注入して、上記隙間に目地を形成して固着させて、上記カウンタと上記シンクの表面側を上記目地を挟んで略面一に形成したことを特徴とするキッチンカウンタ。
【請求項２】
請求項１において、
上記硬質接着剤は、上記カウンタまたは上記シンクと略同一の柄、色に製されていることを特徴とするキッチンカウンタ。
【請求項３】
請求項１、２のいずれか１項において、
上記カウンタは、人造大理石で構成されていることを特徴とするキッチンカウンタ。
【発明の詳細な説明】
【技術分野】
【０００１】
本発明は、カウンタに形成した開口部にシンクを固着させて形成されるキッチンカウンタに関するものである。
【背景技術】
【０００２】
従来、シンクをカウンタの下方より取り付けた構造のキッチンカウンタが種々開示されている。この種のものでは、たとえば特許文献１、２に示すように、シンクのフランジ部が、カウンタの開口部端縁の下方で接着剤によって固着されるものが多い。
【０００３】
そのため、シンクのフランジ部や接着剤による接合部はカウンタによって隠されて上方からは見えず、美観にすぐれた仕上がりとなる。特に、特許文献１のように、人造大理石をカウンタに使用したものでは、フランジ部を隠すことによって人造大理石の高級感、美観性がより生かされる。
【０００４】
また特許文献３には、シンクの開口部端縁の下面に開口の内方側に突出する支持桟を設けて、その支持桟でシンクのフランジ部を載置させる固定方法が開示されているが、このものでも、フランジ部を支持桟との間で挟着固定するために、押え部材を上から被せた構造となっている。
【０００５】
このように従来では、取付方法、美観上、安定性などの理由により、フランジ部は隠され、目地も上面に表れないものがほとんどであった。
【特許文献１】特開２００３−１０２５６９号公報
【特許文献２】特開平１０−２９９０５７号公報
【特許文献３】特開２００２−３３９４２８号公報
【発明の開示】
【発明が解決しようとする課題】
【０００６】
ところが、フランジ部を開口部端縁の下方に隠したキッチンカウンタは、その構造上、カウンタとシンクのフランジ部との接合部に付着した汚れを取り除きにくいという問題が内在する。また、接合部に目が行き届きにくいため、汚れに気が付かず放置される可能性も高い。
【０００７】
本発明は、このような事情を考慮して提案されたもので、その目的は、掃除が簡単にでき、かつ美観にすぐれたキッチンカウンタを提供することにある。
【課題を解決するための手段】
【０００８】
上記目的を達成するために、請求項１に記載のキッチンカウンタは、カウンタに形成した開口部に、接合部を介してシンクのフランジ部を接合固着させてなるキッチンカウンタであって、フランジ部は、床面に対し略垂直に延びる折返し片を周設した形状とされ、接合部は、開口部の内周縁に上記折返し片を対向させて、カウンタとシンクとの表面側を、隙間を介して面一に整合させた状態に保持し、その状態で、それらの裏面側より硬質接着剤を注入して、隙間に目地を形成して固着させて、カウンタとシンクの表面側を上記目地を挟んで略面一に形成させている。
【０００９】
請求項２に記載のキッチンカウンタは、硬質接着剤がカウンタまたはシンクと略同一の柄、色に製されていることを特徴とする。
【００１０】
請求項３に記載のキッチンカウンタは、カウンタが人造大理石で構成されていることを特徴とする。
【発明の効果】
【００１１】
本発明のキッチンカウンタによれば、シンクのフランジ部に折返し片を設け、その折返し片と開口部の内周縁とを対向させ表面を目地を挟んで略面一となるように固着しているため、カウンタとフランジ部との接合部表面やその周辺の掃除がしやすく、美観にもすぐれている。
【００１２】
また、硬質接着剤で固着しているため、カビが発生しても中には浸透しにくく除去しやすい。
【００１３】
さらに、フランジ部に下方に延びる折返し片を設けているため、フランジ部の強度は向上し、フランジ部が波打ったり変形したりすることがなく、安定した形状を保持できる。また、この折返し片により、カウンタとの固着力を高められる。
【発明を実施するための最良の形態】
【００１４】
以下に、本発明の実施の形態について、添付図面とともに説明する。
【００１５】
図２は、本発明の一例であるキッチンカウンタの外観斜視図である。
【００１６】
キッチンカウンタ１は、人造大理石製のカウンタ（天板）２と、カウンタ２に形成された開口部２１に合致させて固着された金属製のシンク３とより形成されている。
【００１７】
カウンタ２は、樹脂などの非金属製あるいは金属製のいずれでもよいが、美観を出すために人造あるいは天然大理石製とすることが望ましい。また、カウンタ２の手前側の前縁は垂下し、前垂れ部２ｂが形成され、後端は立ち上がり、起立部２ａが形成されている。
【００１８】
また、シンク３は絞り加工により形成され、カウンタ２の開口部２１と接合するためのフランジ部３１が全周囲にわたって周設され、凹部には排水口３ａ、後端には洗剤等載置台３ｂを備えている。
【００１９】
カウンタ表面には、開口部２１に取り付けられたシンク３と、カウンタ２との接合部５（図１参照）の一部がシンク３の全周に目地６として表れている。この接合部５による目地６は、開口部２１の内周縁２３（図１参照）と、シンク３の全周に外方に延設されたフランジ部３１とを固着させるようにした後述する硬質の接着剤が硬化して形成された接合部５の一部をなすものである。
【００２０】
図３（ａ）はカウンタ２との接合部を含むシンク３の平面図、（ｂ）はＸ−Ｘ線の同縦断面図である。
【００２１】
シンク３のフランジ部３１は、カウンタ２の開口部２１に、全周にわたって目地６を介して装着、接合されている。図３（ｂ）に示すように、カウンタ２とシンク３との接合部表面は面一に形成されている。
【００２２】
図１は、図３（ｂ）の接合周辺部Ａを拡大した縦断面図で、本発明の要部構造を示している。
【００２３】
フランジ部３１は、図１に示すように、テーパ部３４を有して内方に降下する傾斜した形状とされ、テーパ部３４よりも外方の水平部３３からは、床面に対し略垂直に延びた折返し片３２が全周にわたって延設されている。さらに折返し片３２には、全周にわたる適所に貫通孔３５が設けられている。
【００２４】
同キッチンカウンタ１は、フランジ部３１の折返し片３２とカウンタ開口部２１の内周縁２３とが対向されて、裏側から充填された硬質接着剤で、カウンタ２とシンク３とが固着されている。
【００２５】
折返し片３２は、フランジ部３１の強度を向上させ、フランジ部３１が波打ったり歪んだりすることがなく、シンク３は安定した形状を保持できる。
【００２６】
カウンタ２へのシンク３の取付は、両者を裏返し、それらの接合部５の表面側が隙間を介して面一となるように整合したうえで、裏側より硬質接着剤を注入することによってなされる。
【００２７】
硬質接着剤は、エポキシ、ウレタン系の樹脂などからなる主剤に硬化剤を混合して液状に生成されて、所定時間経過後に常温で硬化するものを使用する。１種の接着剤を使用してもよいが、表面側層（第１接合層）、裏面側層（第２接合層）として２種のものを使用することが望ましい。先に注入して表面の目地６として表れる第１接合層剤は美観にすぐれ、変色せず、接着力が高く、かつ隙間に注入できる程度の低粘度のものが望まれる。第２接合層剤は接着性が高いものが望まれるが、従来使用される低価格のものでよい。また、第１、第２接合層剤は、硬化時に一体的に固化するような成分としている。なお、図４では硬化後の状態を模式的に示しているが、両接合剤によって図示するような均一な界面が形成されるものではない。
【００２８】
第１接合層剤は、カウンタ２に使用する人造大理石、ステンレス製シンク３のいずれかの色、柄に合わせて着色剤（顔料、染料）、柄材などを配合させてもよい。そうすれば、表面に表れる目地６はほとんど目立たず、目地６によって美観が損なわれるおそれはほとんどない。柄材としては例えば、人造大理石で使用するベンガラ色、黒色などの平均粒径５〜５０μｍ程度の粒状物が使用できる。
【００２９】
第１接合層剤の充填は、接合部５空間の表面側よりシリコンゴム冶具（不図示）をあてがった状態で、裏側より行う。注入された第１接合層剤は、開口部２１の内周縁端面２３と折返し片３２との間に形成された隙間にも注入、充填され、貫通孔３５の中にも充填されてゆき、第１接合層５１を形成して、表面側がほぼ面一となるように目地６が形成される。なお、面一の程度は、図１に示すような完全にフラットなものが望まれるが、１ｍｍ前後の段差があってもよい。
【００３０】
第２接合層剤は、第１接合層剤の硬化を待たず注入され、カウンタ２の開口部端縁部２２の下面に強固に固着させた桟木４の位置まで充填されて、第２接合層５２を形成する。
【００３１】
この桟木４は開口部端縁部２２の裏側の略全周にわたって設けられ、硬質接着剤と強固に接着する。また桟木４は、接着剤注入時の堰の機能も有し、注入した液状の接着剤が流れ出ることも防止している。
【００３２】
こうして、第１、第２の硬質接着剤を順次注入して充填し、硬化させることで、カウンタ２とシンク３とを強固に連結させる２層よりなる接合部５が形成され、この接合部５の表面では、カウンタ２、硬質接着剤によって形成された目地６、フランジ部３１の水平部３３がほぼ面一状態に形成される。
【００３３】
このように、カウンタ表面の接合周辺部が目地６を挟んで段差なくフラットに形成されるため、掃除がきわめてしやすく、目地６周辺を清潔な状態に保持することができる。また、目地６が表面に表れているため、汚れをすぐに視認することができる。
【００３４】
さらに、フランジ部３１を傾斜形状としているため、水分が目地６周辺に溜まることがなく、水はけもよい。また、目地６が硬質接着剤で製されているため、カビが発生しても中まで浸透することがなく、簡単に取り除くことができる。
【００３５】
また、シンク３のフランジ部３１が折返し片３２を備えているため、接着剤は折返し片３２に絡み、固着性の高い接合を実現できる。さらに、折返し片３２に設けた貫通孔３５にも入り込んで固化することでアンカー効果があり、固着を強固にする。
【００３６】
また上述したように、この折返し片３２によってシンク３の形状は安定するため、カウンタ２の開口部２１との間に形成される目地６を均一間隔に形成することができ、そのためキッチンカウンタ１を美観にすぐれた形状にすることができる。
【００３７】
なお、フランジ部３１に設けた折返し片３２は、その下端を外方に、水平あるいはテーパ状に折曲形成させてもよい。そうすることによって、その下端部をシンクの下面にもぐりこませ、硬質接着剤を十分に絡ませて接着性を高めることができる。
【００３８】
また、カウンタ２の材料としてメラミン化粧板を使用してもよい。開口部２１の内周縁２３と折返し片３２とを対向させて接着させる構造であるため、メラミン化粧板の木口を隠すことができ都合がよい。また、化粧板の木口によって接着力も強化できる。
【図面の簡単な説明】
【００３９】
【図１】本発明の一例であるキッチンカウンタの要部縦断面図である。
【図２】同キッチンカウンタの外観斜視図である。
【図３】（ａ）はカウンタとの接合部を含むシンクの平面図、（ｂ）は同縦断面図である。
【符号の説明】
【００４０】
１      キッチンカウンタ
２      カウンタ
２１      開口部
２２      開口部端縁部
２３      開口部内周縁
３      シンク
３１      フランジ部
３２      折返し片
３３      水平部
３４      テーパ部
４      桟木
５      接合部
５１      第１接合層
５２      第２接合層
６      目地
【図１】
2008154821.tif 000003
【図２】
2008154821.tif 000004
【図３】
2008154821.tif 000005
【手続補正書】
【提出日】平成19年1月31日(2007.1.31)
【手続補正１】
【補正対象書類名】明細書
【補正対象項目名】００３７
【補正方法】変更
【補正の内容】
【００３７】
なお、フランジ部３１に設けた折返し片３２は、その下端を外方に、水平あるいはテーパ状に折曲形成させてもよい。そうすることによって、その下端部をカウンタ２の下面にもぐりこませ、硬質接着剤を十分に絡ませて接着性を高めることができる。